(57)【要約】      （修正有）【課題】比較的体積の大きい切削屑、もしくはその他物質が押し圧ローラに挟まって摩擦力が不足して、押し圧ローラが空転することなく、装置の好ましい効率が得られる切削屑分離装置を提供する。【解決手段】タンク体に、ガイドタンクと、該ガイドタンクに横方向に設けた磁性ローラと、回転軸にスプロケットを設け、該スプロケットと該磁性ローラの一端との間に設けたチェーンを介して該磁性ローラを駆動するモータと、該磁性ローラに連動する押し圧ローラと、擦り板と、廃棄物タンクなどの部材を設けてなる。該磁性ローラの他端に連動ギアを設けるとともに、該押し圧ローラの一端の該連動ギアに対応する位置に、該連動ギアに歯合する受動ギアを設け、該押し圧ローラを強制的に該磁性ローラに連動させて回転させる。【選択図】図１
0003153058.tif 000002
【実用新案登録請求の範囲】
【請求項１】
タンク体に、ガイドタンクと、該ガイドタンクに横方向に設けた磁性ローラと、回転軸にスプロケットを設け、該スプロケットと該磁性ローラの一端との間に設けたチェーンを介して該磁性ローラを駆動するモータと、該磁性ローラに連動する押し圧ローラと、擦り板と、廃棄物タンクなどの部材を設けてなり、工作機械の切削屑を含む冷却液が入口から該タンク体内に至り、該ガイドタンクを流れる場合に該冷却液に含まれる切削屑を該磁性ローラで吸着し、さらに吸着した削屑を該押し圧ローラで押し圧して該切削屑に付着する冷却液を分離させ、かつ傾斜させて設けた擦り板で押し圧した該切削屑を擦り落として該廃棄物タンクから外部に廃棄するとともに、切削屑を除去した冷却液を出口から回収して循環して使用するために供する切削屑分離装置において、
該磁性ローラの他端に連動ギアを設けるとともに、該押し圧ローラの一端の該連動ギアに対応する位置に、該連動ギアに歯合する受動ギアを設け、該押し圧ローラを強制的に該磁性ローラに連動させて回転させるように構成したことを特徴とする切削屑分離装置。
【考案の詳細な説明】
【技術分野】
【０００１】
この考案は、工作機械で金属を削る際に発生する切削屑を含む冷却液から切削屑を分離させる切削屑分離装置に関する。
【０００２】
台湾実用案登録第０９３２１４１８４号は、工作機械で金属を削る際に発生する切削屑を分離させる装置の改良構造を提供するものである。該装置は、タンクと、磁性ローラセットと、モータと、押し圧ローラセットと、擦り板と、ガイド槽などの部材によって構成される。使用時において、切削屑を含む冷却液が入口からタンクに至り、さらにガイド槽に流れる。ガイド槽内には横方向に磁性ローラセットを設け、該磁性ローラセットによって切削屑を吸引し、該押し圧ローラで切削屑を押し圧して付着した冷却液を分離させ、さらに傾斜させて設けた擦り板で磁性ローラセットの表面に吸着した切削屑を擦り落とす。切削屑を除去した冷却液はガイド槽から出口に流れ、該出口から回収され、係属して使用される。該磁性ローラは該モータの駆動によって継続して回転する。
【０００３】
上述する実用新案は、多年にわたって実施された結果、本考案者によって欠点が発見された。即ち、該押し圧ローラは両端に設けた弾性体の引っ張る力で隣り合う磁性ローラに接触し、磁性ローラセットの回転を受けて、に能動的に回転する。このため、偶に磁性ローラセットに体積の大きい切削屑が吸着した場合、該切削屑が押し圧ローラセットに挟まり、押し圧ローラセットが空転して効果がなくなる。この場合、装置を止めて挟まった切削屑を取り除き、手入れをしなければならない。係る作業は難しい作業であって、経費も時間もかかる。よって、上述する実用新案に開示される構造は理想的とは言えず、改良する必要がある。
【先行技術文献】
【非特許文献】
【０００４】
【非特許文献１】台湾実用案登録第０９３２１４１８４号公報
【考案の概要】
【考案が解決しようとする課題】
【０００５】
比較的体積の大きい切削屑、もしくはその他物質が押し圧ローラに挟まって摩擦力が不足して、押し圧ローラが空転することなく、装置の好ましい効率が得られる切削屑分離装置を提供することを課題とする。
【課題を解決するための手段】
【０００６】
そこで、本考案者はタンク体に、ガイドタンクと、該ガイドタンクに横方向に設けた磁性ローラと、回転軸にスプロケットを設け、該スプロケットと該磁性ローラの一端との間に設けたチェーンを介して該磁性ローラを駆動するモータと、該磁性ローラに連動する押し圧ローラと、擦り板と、廃棄物タンクなどの部材を設けてなり、
該磁性ローラの他端に連動ギアを設けるとともに、該押し圧ローラの一端の該連動ギアに対応する位置に、該連動ギアに歯合する受動ギアを設け、該押し圧ローラを強制的に該磁性ローラに連動させて回転させるように構成した切削屑分離装置の構造によって課題を解決できる点に着眼し、係る知見に基づいて本考案を完成させた。
【０００７】
以下、この考案について具体的に説明する。
請求項１に記載する切削屑分離装置は、考案者はタンク体に、ガイドタンクと、該ガイドタンクに横方向に設けた磁性ローラと、回転軸にスプロケットを設け、該スプロケットと該磁性ローラの一端との間に設けたチェーンを介して該磁性ローラを駆動するモータと、該磁性ローラに連動する押し圧ローラと、擦り板と、廃棄物タンクなどの部材を設けてなり、該磁性ローラの他端に連動ギアを設けるとともに、該押し圧ローラの一端の該連動ギアに対応する位置に、該連動ギアに歯合する受動ギアを設け、該押し圧ローラを強制的に該磁性ローラに連動させて回転させるように構成する。
【０００８】
上述する構成の切削屑分離装置は、工作機械の切削屑を含む冷却液が入口から該タンク体内に至り、該ガイドタンクを流れる場合に該冷却液に含まれる切削屑を該磁性ローラで吸着し、さらに吸着した削屑を該押し圧ローラで押し圧して該切削屑に付着する冷却液を分離させ、かつ傾斜させて設けた擦り板で押し圧した該切削屑を擦り落として該廃棄物タンクから外部に廃棄するとともに、切削屑を除去した冷却液を出口から回収して循環して使用する。よって、冷却液の切削屑分離を効率よく行なうことができる。
【考案の効果】
【０００９】
この考案によれば、比較的体積の大きい切削屑、もしくはその他物質が押し圧ローラに挟まって空転することがなく、切削屑を効率よく分離することができ、従来の装置に見られるように切削屑が挟まった場合の取り除く作業を省くことができるため、装置の効率を高め、ランニングコストを節減し、装置の寿命を延長させることができるという利点を有する。
【図面の簡単な説明】
【００１０】
【図１】この考案による装置の外観を示した斜視図である。
【図２】図１に開示する装置を他の角度から見た斜視図であって、局部の内部構造を示した説明図である。
【図３】図１に開示する装置の一部を分解した状態を示した説明図である。
【図４】図１に開示する装置であって、局部の内部構造を示した他の説明図である。
【考案を実施するための形態】
【００１１】
図１から図４に開示するように、この考案による切削屑分離装置はタンク体１０と、ガイドタンク１２と、磁性ローラ２０と、モータ３０と、押し圧ローラ４０と、擦り板５１と、廃棄物タンク５２などの部材によって構成される。
【００１２】
工作機械を使用した後の切削屑を』含む冷却液は入口１１からタンク１０体に至り、さらにガイドタンク１２に流れ、ガイドタンク１２に横方向に設けた磁性ローラ２０で切削屑を吸引し、さらに押し圧ローラ４０で、磁性ローラ２０の外周面に吸着する切削屑を押し圧して、該切削屑に付着する冷却液を分離させる。さらに、傾斜させて設けた擦り板５１で磁性ローラ２０の外周面に吸着した切削屑を擦り落とす。擦り落とされた切削屑は廃棄物タンク５２を経てタンク体１０外部の回収容器に収集される。また、切削屑と分離した冷却液は出口１３から回収され、循環して引き続き使用される。
【００１３】
モータ２０の回転軸にはスプロケット３１を設け、スプロケット３１と磁性ローラ２０の一端との間にチェーン２１を設け、モータ２０の駆動で磁性ローラ２１を回転させる。
【００１４】
また、磁性ローラ２０の他端には連動ギア２２を設け、押し圧ローラ４０の一端で磁性ローラ２０の連動ギア２２に対応する位置には、連動ギア２２に歯合する受動ギア４１を設ける。受動ギア４１は連動ギア２２の回転を受けて回転する。
【００１５】
また、タンク体１０の連動ギア２２に対応する位置には固定ネジ１４で保護カバー１５を設けて遮蔽する。
【００１６】
この考案による切削屑分離装置は、モータ３０の動力でスプロケット３１を回転させ、かつチェーン２１を介して磁性ローラ２０を回転させるとともに、磁性ローラ２０の一端に設けた連動ギア２２によって受動ギア４１を回転させ、強制的に押し圧ローラ４０を回転させる。したがって、従来の技術に見られるように、磁性ローラ２０が比較的体積の大きい切削屑を吸着した場合に押し圧ローラ４０が空転することがなく。好ましい連動、回転の効果が得られる。
【００１７】
以上はこの考案の好ましい実施の形態であって、この考案の実施の範囲を限定するものではない。よって、当業者のなし得る修正、もしくは変更であって、この考案の精神の下においてなされ、この考案に対して均等の効果を有するものは、いずれもこの考案の特許請求の範囲に含まれるものとする。
【符号の説明】
【００１８】
１０                     タンク体
１１                     入口
１２                     ガイドタンク
１４                     固定ネジ
１５                     保護カバー
２０                     磁性ローラ
２１                     チェーン
２２                     連動ギア
３０                     モータ
３１                     スプロケット
４０                     押し圧ローラ
４１                     受動ギア
【図１】
0003153058.tif 000003
【図２】
0003153058.tif 000004
【図３】
0003153058.tif 000005
【図４】
0003153058.tif 000006